(57)【要約】【課題】  各設計端末にてその端末で開発中の製品のＵＭＬ設計データ中のＮｏｔｅタグに書込まれたコメントを他の設計端末のユーザーと確実に共有できるようにした。【解決手段】  この発明は、サーバー１と、ＵＭＬを用いて作成された設計データを共有するためにネットワーク２にて接続された複数の設計端末３とで構成されるＵＭＬのＮＯＴＥデータ配信システムにおいて、サーバー１は、設計端末３各々にてＵＭＬ設計データ中のＮｏｔｅタグに書込まれたテキストを読み出す解析手段１１と、当該解析手段が読み出したＮｏｔｅタグのテキストをその書込み日時及び端末識別情報と共にリストに登録してＮｏｔｅリストを作成するＮｏｔｅリスト作成手段１２と、当該Ｎｏｔｅリスト作成手段が作成したＮｏｔｅリストをネットワークを通じて設計端末各々に配信するＮｏｔｅリスト配信手段１３とを備えたことを特徴とする。【選択図】      図１
2006277671.tif 000002
【特許請求の範囲】
【請求項１】
サーバーと、ＵＭＬを用いて作成された設計データを共有するためにネットワークにて接続された複数の設計端末とで構成されるＵＭＬのＮＯＴＥデータ配信システムにおいて、
前記サーバーは、前記設計端末各々にてＵＭＬ設計データにＮｏｔｅタグに書込まれたテキストを読み出す解析手段と、当該解析手段が読み出したＮｏｔｅタグのテキストをその書込み日時及び端末識別情報と共にリストに登録してＮｏｔｅリストを作成するＮｏｔｅリスト作成手段と、当該Ｎｏｔｅリスト作成手段が作成した前記Ｎｏｔｅリストを前記ネットワークを通じて前記設計端末各々に配信するＮｏｔｅリスト配信手段とを備え、
前記設計端末各々は、ＵＭＬ設計データを作成するためのＵＭＬエディタと、前記Ｎｏｔｅリスト配信手段が配信する前記Ｎｏｔｅリストを表示装置に表示させるブラウザとを備えたことを特徴とするＵＭＬのＮＯＴＥデータ配信システム。
【請求項２】
前記Ｎｏｔｅリスト作成手段は、ＸＭＬにて前記Ｎｏｔｅリストを作成することを特徴とする請求項１に記載のＵＭＬのＮＯＴＥデータ配信システム。
【請求項３】
前記Ｎｏｔｅリスト作成手段は、ＲＳＳにて前記Ｎｏｔｅリストを作成することを特徴とする請求項２に記載のＵＭＬのＮＯＴＥデータ配信システム。
【請求項４】
ＵＭＬのＮＯＴＥデータ配信システムに用いられるサーバーであって、
ネットワークを介して接続されている設計端末各々から送られてきたＵＭＬ設計データにＮｏｔｅタグに書込まれたテキストを読み出す解析手段と、
当該解析手段が読み出したＮｏｔｅタグのテキストをその書込み日時及び端末識別情報と共にリストに登録してＮｏｔｅリストを作成するＮｏｔｅリスト作成手段と、
当該Ｎｏｔｅリスト作成手段が作成した前記Ｎｏｔｅリストを前記ネットワークを通じて前記設計端末各々に配信するＮｏｔｅリスト配信手段とを備えたことを特徴とするサーバー。
【請求項５】
前記Ｎｏｔｅリスト作成手段は、ＸＭＬにて前記Ｎｏｔｅリストを作成することを特徴とする請求項４に記載のサーバー。
【請求項６】
前記Ｎｏｔｅリスト作成手段は、ＲＳＳにて前記Ｎｏｔｅリストを作成することを特徴とする請求項５に記載のサーバー。
【請求項７】
サーバーが、ネットワークを通じて設計端末各々から送られてきたＵＭＬ設計データにＮｏｔｅタグに書込まれたテキストを読み出す処理と、
前記サーバーが、読み出したＮｏｔｅタグのテキストをその書込み日時及び端末識別情報と共にリストに登録してＮｏｔｅリストを作成する処理と、
前記サーバーが、前記Ｎｏｔｅリストを前記ネットワークを通じて前記設計端末各々に配信する処理と、
前記設計端末各々が、前記サーバーから配信されてきた前記Ｎｏｔｅリストを表示装置に表示させる処理とを備えたことを特徴とするＵＭＬのＮＯＴＥデータ配信方法。
【請求項８】
前記Ｎｏｔｅリストは、ＸＭＬにて作成することを特徴とする請求項７に記載のＵＭＬのＮＯＴＥデータ配信方法。
【請求項９】
前記Ｎｏｔｅリストは、ＲＳＳにて作成することを特徴とする請求項８に記載のＵＭＬのＮＯＴＥデータ配信方法。
【発明の詳細な説明】
【技術分野】
【０００１】
本発明は、ネットワークを通じてサーバーと設計端末が接続され、グループでＵＭＬを用いて製品設計を行う際の設計支援をするＵＭＬのＮＯＴＥデータ配信システム及びＵＭＬのＮＯＴＥデータ配信方法に関する。
【背景技術】
【０００２】
従来、ネットワークを通じてサーバーと設計端末が接続され、グループでＵＭＬを用いて製品設計を行う際、各グループが開発段階で以前の設計の間違いを改変したり、新技術を採用したりした場合、他のグループにはその設計内容の変更は例えば設計会議で各設計技術者が発表したり、あるいは設計変更の影響が及びそうな他のグループに電話や電子メール等で伝達したりしていた。
【０００３】
関係するグループが多くなり、設計が複雑なものになれば、設計変更等の重要情報は関係するグループ全体で確実に情報共有しなければ設計作業が円滑に進展しないが、従来のような伝達手法では聞き逃したなり、関係グループへの伝達忘れ等々があり、関係技術者の全員が確実に設計変更等の情報を共有するということができない問題点があった。
【発明の開示】
【発明が解決しようとする課題】
【０００４】
本発明は、上述のような従来の技術的課題に鑑みてなされたもので、各設計端末にてその端末で開発中の製品のＵＭＬ設計データ中のＮｏｔｅタグに書込まれたコメントを他の設計端末のユーザーと確実に共有できるようにしたＵＭＬのＮＯＴＥデータ配信システム及びＵＭＬのＮＯＴＥデータ配信方法を提供することを目的としている。
【課題を解決するための手段】
【０００５】
請求項１の発明は、サーバーと、ＵＭＬを用いて作成された設計データを共有するためにネットワークにて接続された複数の設計端末とで構成されるＵＭＬのＮＯＴＥデータ配信システムにおいて、前記サーバーは、前記設計端末各々にてＵＭＬ設計データにＮｏｔｅタグに書込まれたテキストを読み出す解析手段と、当該解析手段が読み出したＮｏｔｅタグのテキストをその書込み日時及び端末識別情報と共にリストに登録してＮｏｔｅリストを作成するＮｏｔｅリスト作成手段と、当該Ｎｏｔｅリスト作成手段が作成した前記Ｎｏｔｅリストを前記ネットワークを通じて前記設計端末各々に配信するＮｏｔｅリスト配信手段とを備え、前記設計端末各々は、ＵＭＬ設計データを作成するためのＵＭＬエディタと、前記Ｎｏｔｅリスト配信手段が配信する前記Ｎｏｔｅリストを表示装置に表示させるブラウザとを備えたことを特徴とするものである。
【０００６】
請求項２の発明は、請求項１のＵＭＬのＮＯＴＥデータ配信システムにおいて、前記Ｎｏｔｅリスト作成手段は、ＸＭＬにて前記Ｎｏｔｅリストを作成することを特徴とするものである。
【０００７】
請求項３の発明は、請求項２のＵＭＬのＮＯＴＥデータ配信システムにおいて、前記Ｎｏｔｅリスト作成手段は、ＲＳＳにて前記Ｎｏｔｅリストを作成することを特徴とするものである。
【０００８】
請求項４の発明は、ＵＭＬのＮＯＴＥデータ配信システムに用いられるサーバーであって、ネットワークを介して接続されている設計端末各々から送られてきたＵＭＬ設計データにＮｏｔｅタグに書込まれたテキストを読み出す解析手段と、当該解析手段が読み出したＮｏｔｅタグのテキストをその書込み日時及び端末識別情報と共にリストに登録してＮｏｔｅリストを作成するＮｏｔｅリスト作成手段と、当該Ｎｏｔｅリスト作成手段が作成した前記Ｎｏｔｅリストを前記ネットワークを通じて前記設計端末各々に配信するＮｏｔｅリスト配信手段とを備えたことを特徴とするものである。
【０００９】
請求項５の発明は、請求項４のサーバーにおいて、前記Ｎｏｔｅリスト作成手段は、ＸＭＬにて前記Ｎｏｔｅリストを作成することを特徴とするものである。
【００１０】
請求項６の発明は、請求項５のサーバーにおいて、前記Ｎｏｔｅリスト作成手段は、ＲＳＳにて前記Ｎｏｔｅリストを作成することを特徴とするものである。
【００１１】
請求項７の発明のＵＭＬのＮＯＴＥデータ配信方法は、サーバーが、ネットワークを通じて設計端末各々から送られてきたＵＭＬ設計データにＮｏｔｅタグに書込まれたテキストを読み出す処理と、前記サーバーが、読み出したＮｏｔｅタグのテキストをその書込み日時及び端末識別情報と共にリストに登録してＮｏｔｅリストを作成する処理と、前記サーバーが、前記Ｎｏｔｅリストを前記ネットワークを通じて前記設計端末各々に配信する処理と、前記設計端末各々が、前記サーバーから配信されてきた前記Ｎｏｔｅリストを表示装置に表示させる処理とを備えたことを特徴とするものである。
【００１２】
請求項８の発明は、請求項７のＵＭＬのＮＯＴＥデータ配信方法において、前記Ｎｏｔｅリストは、ＸＭＬにて作成することを特徴とするものである。
【００１３】
請求項９の発明は、請求項８のＵＭＬのＮＯＴＥデータ配信方法において、前記Ｎｏｔｅリストは、ＲＳＳにて作成することを特徴とするものである。
【発明の効果】
【００１４】
本発明によれば、サーバーが各ＵＭＬ設計端末にてＵＭＬ設計データ中のＮｏｔｅタグに書込まれたコメントを他のＵＭＬ設計端末に配信するので、各ＵＭＬ設計端末ではブラウザにて他のＵＭＬ設計端末にて書込まれたＵＭＬ設計データ中のコメントを読むことができ、複数のグループにて製品開発しているような場合でも設計変更その他の書込み情報をネットワークで結ばれた複数のＵＭＬ設計端末間で共有することができる。
【発明を実施するための最良の形態】
【００１５】
以下、本発明の実施の形態を図に基づいて詳説する。図１は本発明の１つの実施の形態のＵＭＬのＮＯＴＥデータ配信システムの構成を示している。本実施の形態のＵＭＬのＮＯＴＥデータ配信システムは、サーバー１と、ＵＭＬエディタを用いて作成された設計データを共有するためにネットワーク２にて接続された複数の設計端末３とで構成される。サーバー１は、他のサーバーや設計端末３とネットワーク通信を行うネットワーク通信部１０と、設計端末３各々にて作成されたＵＭＬ設計データの中で、Ｎｏｔｅ（ノート）タグに書込まれたテキストを読み出す解析部１１と、当該解析部１１が読み出したＮｏｔｅタグのテキストをその書込み日時及び端末識別情報と共にリストに登録してＮｏｔｅリストを作成するＮｏｔｅリスト作成部１２と、当該Ｎｏｔｅリスト作成部１２が作成したＮｏｔｅリストのデータをネットワーク２を通じて設計端末３各々に配信するＮｏｔｅリスト配信部１３と、諸データを記憶し、またその更新を行う記憶装置１４とを備えている。
【００１６】
解析部１１はＮｏｔｅタグに書込まれたテキストの解析に、例えば、Ｘｅｒｃｅｓ（商品名）のようなＸＭＬ解析モジュールを実行する。Ｎｏｔｅリスト作成部１２は、解析部１１の解析した設計端末３各々のＮｏｔｅタグに書込まれたテキストを、更新日時順に、設計端末３のＩＤ別のリストデータを作成するために、例えば、ＳＱＬを利用したデータベースモジュールを実行する。Ｎｏｔｅリスト配信部１３は、Ｎｏｔｅリスト作成部１２の作成したＮｏｔｅリストの内容が前回配信時から更新されているような場合に、その更新部分の内容をＮｏｔｅタグ毎にフィールド行を変えて表示する形式のＸＭＬにして設計端末３各々に配信する。これには、例えば、ＲＳＳ（ＲＤＦ  Ｓｉｔｅ  Ｓｕｍｍａｒｙ）のソフトウェアを利用し、従って作成するＮｏｔｅリストはＸＭＬ化したものである。
【００１７】
ネットワーク２はＬＡＮであり、またインターネットにも接続されている。設計端末３各々は、ネットワーク通信を行うためのネットワーク通信部３０と、ＵＭＬ設計データを作成するためのＵＭＬエディタ３１と、サーバー１から配信されるＮｏｔｅリストを表示装置に表示させるＨＴＭＬブラウザ３２あるいはＲＳＳリーダーとを備えている。ＵＭＬエディタ３１はＵＭＬのモデリングソフトウェアであれば特に限定されない。
【００１８】
次に、上記構成のＵＭＬのＮＯＴＥデータ配信システムによるＵＭＬのＮＯＴＥデータ配信方法について説明する。サーバー１側では、ＳｅｒｖｌｅｔによるＸＭＬ解析とＵＭＬ設計データ中のＮｏｔｅタグの抽出、そしてＮｏｔｅリストの作成、ＮｏｔｅリストのＲＳＳによる配信の各処理を行う。図２は本実施の形態のフローチャートである。例えば、ｕｐｌｏａｄ．ｃｇｉのようなソフトウェアを利用して設計端末３各々からＵＭＬ設計データのファイルアップロードをすると（ステップＳＱ１１）、サーバー１側の解析部１１では当該ファイルがＵＭＬファイルであるかどうかを調べ（ステップＳＱ１２）、ＵＭＬファイルでない場合は本処理はそのまま終了する（ステップＳＱ２０）。
【００１９】
ステップＳＱ１２でアップロードファイルがＵＭＬファイルであった場合には、解析部１１はＮｏｔｅタグの解析を開始する。その場合、まず、例えば、ＸｅｒｃｅｓのようなソフトウェアによりＸＭＬ解析を行ない、ＸＭＬの特徴である入れ子状態を保持しつつファイル内容をロードし（ステップＳＱ１３）、Ｎｏｔｅタグを再帰的に検索し、Ｎｏｔｅリストを生成する（ステップＳＱ１４）。
【００２０】
Ｎｏｔｅリスト作成部１２では、解析部１１にて再帰的に生成されたＮｏｔｅタグ毎にその内容であるテキストを抽出し、ＵＭＬ設計端末ＩＤ、ファイル名、テキスト内容をＮｏｔｅリストとして生成し（ステップＳＱ１５）、さらにタイムスタンプを追加したＮｏｔｅリストログを生成する（ステップＳＱ１６）。
【００２１】
Ｎｏｔｅリスト配信部１３は、ある設計端末３からログインを受けると、ＲＳＳを利用してユーザー（当該設計端末３）のアクセスログを生成する（ステップＳＱ１７）。そして、当該設計端末３の前回のアクセス日時から今回のアクセスタイミングまでの間にＮｏｔｅリストに登録されたＮｏｔｅタグの内容について、ログインユーザー名、Ｎｏｔｅタグ書込みのファイル名、Ｎｏｔｅのテキストを新着Ｎｏｔｅリストとして作成し、アクセス元の設計端末３に対して送信する（ステップＳ１８，ＳＱ１９）。
【００２２】
アクセス元の設計端末３では、サーバー１からこの新着Ｎｏｔｅリストをネットワーク２を通じて受信すれば、ＨＴＭＬブラウザ、あるいはＲＳＳリーダーによって新着Ｎｏｔｅリストを表示装置に表示し、どんな設計グループにおいてどんな設計変更があったのかを新着Ｎｏｔｅリストの内容を見て確認できることになる。
【００２３】
図３は設計端末３側でのＵＭＬエディタでのＵＭＬ設計画面を例示している。ＵＭＬの９種類のダイヤグラムのいずれにもＮｏｔｅ３５を利用したコメント（テキスト）の書込みができる。これにて、各設計グループが設計中に変更した箇所をＮｏｔｅに書込み、サーバー１にアクセスして更新をアップロードすることにより、サーバー２側ではそれを解析して、Ｎｏｔｅへの書込みをＮｏｔｅリストにして保持しておくことができる。このネットワーク２を通じたＵＭＬ設計データの伝送はＸＭＬベースで行われる。そのフォーマットの一例が図４に示してある。
【００２４】
また図５は、サーバー１から設計端末３に配信される新着Ｎｏｔｅリストの表示画面である。これにより、設計端末３はグループで開発している製品の各グループでの開発進捗状況を把握し、また設計変更を知ることができる。
【図面の簡単な説明】
【００２５】
【図１】本発明の１つの実施の形態のＵＭＬのＮＯＴＥデータ配信システムのブロック図。
【図２】上記実施の形態のシステムによるＵＭＬのＮＯＴＥデータ配信方法のフローチャート。
【図３】上記実施の形態における設計端末でのＵＭＬ画面の説明図。
【図４】上記実施の形態において設計端末とサーバーに送信するＸＭＬデータの説明図。
【図５】上記実施の形態において設計端末で表示している新着Ｎｏｔｅリストの説明図。
【符号の説明】
【００２６】
１  サーバー
２  ネットワーク
３  設計端末
１０  ネットワーク通信部
１１  解析部
１２  Ｎｏｔｅリスト作成部
１３  Ｎｏｔｅリスト配信部
３０  ネットワーク通信部
３１  ＵＭＬエディタ
３２  ＨＴＭＬブラウザ
【図１】
2006277671.tif 000003
【図２】
2006277671.tif 000004
【図３】
2006277671.tif 000005
【図４】
2006277671.tif 000006
【図５】
2006277671.tif 000007